(57)【要約】【課題】シャッタ装置の厚みの増大を抑制する。【解決手段】フォーカルプレーンシャッタ１００は、シャッタ開口１１２が形成された台板１１０と、シャッタ開口１１２を開閉する先幕１２０と、シャッタ開口１１２を遮蔽する位置とシャッタ開口１１２を開放する位置との間で移動する後幕１４０と、先幕１２０と後幕１４０との間に配され、先幕１２０及び後幕１４０により開閉されるシャッタ開口１１２が形成された中間板１３０と、台板１１０に回動可能に支持されると共に先幕１２０を支持し、先幕１２０を、遮蔽位置と開放位置との間で移動させる先幕支持アーム１６０と、先幕支持アーム１６０のシャッタ開口１１２を挟んだ反対側において台板１１０に回動可能に支持されると共に後幕１４０を支持し、後幕１４０を、遮蔽位置と開放位置との間で移動させる後幕支持アーム１７０と、を備える。【選択図】図２
2010044173.tif 000002
【特許請求の範囲】
【請求項１】
シャッタ開口が形成された台板と、
前記シャッタ開口を遮蔽する遮蔽位置と前記シャッタ開口を開放する開放位置との間で移動する先幕と、
前記シャッタ開口を遮蔽する遮蔽位置と前記シャッタ開口を開放する開放位置との間で移動する後幕と、
前記先幕と前記後幕との間に配され、前記先幕及び前記後幕により開閉されるシャッタ開口が形成された中間板と、
前記台板に回動可能に支持されると共に前記先幕を支持し、前記先幕を、前記遮蔽位置と前記開放位置との間で移動させる先幕支持アームと、
前記先幕支持アームの前記シャッタ開口を挟んだ反対側において前記台板に回動可能に支持されると共に前記後幕を支持し、前記後幕を、前記遮蔽位置と前記開放位置との間で移動させる後幕支持アームと、
を備えることを特徴とするシャッタ装置。
【請求項２】
前記先幕支持アームを前記先幕における前記中間板の側に重ね合わせ、前記後幕支持アームを前記後幕における前記中間板の側に重ね合わせていることを特徴とする請求項１に記載のシャッタ装置。
【請求項３】
前記中間板における前記先幕支持アームと重なる範囲を、前記後幕側に凸の段差部とし、前記中間板における前記後幕支持アームと重なる範囲を、前記先幕側に凸の段差部としたことを特徴とする請求項２に記載のシャッタ装置。
【請求項４】
前記先幕支持アームの回動軸より前記シャッタ開口の側に配され、前記先幕支持アームに駆動力を入力する先幕駆動入力軸と、
前記後幕支持アームの回動軸より前記シャッタ開口の側に配され、前記後幕支持アームに駆動力を入力する後幕駆動入力軸とを備え、
前記中間板は、前記先幕駆動入力軸より前記シャッタ開口の側、且つ、前記後幕駆動入力軸より前記シャッタ開口の側に配されていることを特徴とする請求項１に記載のシャッタ装置。
【請求項５】
請求項１から請求項４の何れか１項に記載のシャッタ装置と、
前記シャッタ開口を通過した光が入射する撮像部と、
を備えることを特徴とする撮像装置。
【発明の詳細な説明】
【技術分野】
【０００１】
本発明は、シャッタ装置、及び当該シャッタ装置を備える撮像装置に関する。本発明は、特に、シャッタ開口を開閉する先幕及び後幕を備えるシャッタ装置、及び当該シャッタ装置を備える撮像装置に関する。
【背景技術】
【０００２】
シャッタ装置としてのフォーカルプレーンシャッタとして、先幕をシャッタ開口が形成された台板に支持する先幕支持アームの回動中心と、後幕を台板に支持する後幕支持アームの回動中心とが、共にシャッタ開口の左右の片側に配されたものが知られている（例えば、特許文献１参照）。ここで、フォーカルプレーンシャッタでは、露光終了状態から露光前の待機状態に移る場合に、先幕が先に上昇して、後幕が遅れて上昇することにより、先幕と後幕との間から撮像部への入光を防止している。
【特許文献１】特開２００４−４５５３１号公報
【発明の開示】
【発明が解決しようとする課題】
【０００３】
しかしながら、先幕が先に上昇して、後幕が遅れて上昇することから、先幕支持アームと後幕支持アームとが重なり合う場合がある。このため、先幕支持アームと後幕支持アームとを光軸方向にずらして配置しなければならず、また、先幕支持アームと後幕支持アームとの間に中間板を配置してこれらを分離しなければならないことから、フォーカルプレーンシャッタの厚みが増す。従って、フォーカルプレーンシャッタの前後に位置する撮像部とミラーとの間隔を狭めることに対する制約が増え、あるいは、撮像部とミラーとの間に撮像部（ローパスフィルタ）のごみを取る機構を追加できない等、設計の自由度が低下する。
【課題を解決するための手段】
【０００４】
上記課題を解決するために、本発明の第１の形態において、シャッタ装置は、シャッタ開口が形成された台板と、前記シャッタ開口を遮蔽する遮蔽位置と前記シャッタ開口を開放する開放位置との間で移動する先幕と、前記シャッタ開口を遮蔽する遮蔽位置と前記シャッタ開口を開放する開放位置との間で移動する後幕と、前記先幕と前記後幕との間に配され、前記先幕及び前記後幕により開閉されるシャッタ開口が形成された中間板と、前記台板に回動可能に支持されると共に前記先幕を支持し、前記先幕を、前記遮蔽位置と前記開放位置との間で移動させる先幕支持アームと、前記先幕支持アームの前記シャッタ開口を挟んだ反対側において前記台板に回動可能に支持されると共に前記後幕を支持し、前記後幕を、前記遮蔽位置と前記開放位置との間で移動させる後幕支持アームと、を備えることを特徴とする。
【０００５】
上記シャッタ装置において、前記先幕支持アームを前記先幕における前記中間板の側に重ね合わせ、前記後幕支持アームを前記後幕における前記中間板の側に重ね合わせていることを特徴としてもよい。
【０００６】
また、上記シャッタ装置において、前記中間板における前記先幕支持アームと重なる範囲を、前記後幕側に凸の段差部とし、前記中間板における前記後幕支持アームと重なる範囲を、前記先幕側に凸の段差部としたことを特徴としてもよい。
【０００７】
また、上記シャッタ装置において、前記先幕支持アームの回動軸より前記シャッタ開口の側に配され、前記先幕支持アームに駆動力を入力する先幕駆動入力軸と、前記後幕支持アームの回動軸より前記シャッタ開口の側に配され、前記後幕支持アームに駆動力を入力する後幕駆動入力軸とを備え、前記中間板は、前記先幕駆動入力軸より前記シャッタ開口の側、且つ、前記後幕駆動入力軸より前記シャッタ開口の側に配されていることを特徴としてもよい。
【０００８】
また、本発明の第２の形態において、撮像装置は、上記シャッタ装置と、前記シャッタ開口を通過した光が入射する撮像部と、を備えることを特徴とする。
【０００９】
なお、上記の発明の概要は、必要な特徴の全てを列挙したものではなく、これらの特徴群のサブコンビネーションもまた、発明となりうる。
【発明を実施するための最良の形態】
【００１０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１１】
図１には、一実施形態に係るシャッタ装置としてのフォーカルプレーンシャッタ１００を備える、撮像装置としての一眼レフタイプのデジタルカメラ１０１を、概略側断面図にて示している。この図に示すように、デジタルカメラ１０１は、光学部材４２０と、レンズ鏡筒４３０と、ＣＣＤ等の撮像部５００と、制御部５５０と、を備える。レンズ鏡筒４３０は光学部材４２０を収容する。撮像部５００は、光学部材４２０によって結像された画像を撮像する。制御部５５０は、撮像部５００を制御する。
【００１２】
また、デジタルカメラ１０１は、光学部材４２０、レンズ鏡筒４３０を備えるレンズユニット４１０と、ボディ４６０を含む。レンズユニット４１０は、マウント４５０を介して、ボディ４６０に対して着脱自在に装着される。
【００１３】
光学部材４２０は、図中で左側にあたる入射端から順次配列された、フロントレンズ４２２、コンペンセータレンズ４２４、フォーカシングレンズ４２６およびメインレンズ４２８を含む。フォーカシングレンズ４２６およびメインレンズ４２８の間には、アイリスユニット４４０が配置される。
【００１４】
ボディ４６０は、メインミラー５４０、ペンタプリズム４７０、接眼系４９０を含む光学部材を収容する。メインミラー５４０は、レンズユニット４１０を介して入射した入射光の光路上に傾斜して配置される待機位置と、入射光を避けて上昇する撮影位置（図中に点線で示す）との間を移動する。
【００１５】
待機位置にあるメインミラー５４０は、入射光の大半を、上方に配置されたペンタプリズム４７０に導く。ペンタプリズム４７０は、入射光の鏡映を接眼系４９０に向かって出射するので、フォーカシングスクリーンの映像を接眼系４９０から正像として見ることができる。入射光の残りは、ペンタプリズム４７０により測光ユニット４８０に導かれる。測光ユニット４８０は、入射光の強度およびその分布等を測定する。
【００１６】
なお、ペンタプリズム４７０および接眼系４９０の間には、ファインダ液晶４９４に形成された表示画像を、フォーカシングスクリーンの映像に重ねるハーフミラー４９２が配置される。表示画像は、ペンタプリズム４７０から投影された画像に重ねて表示される。
【００１７】
また、メインミラー５４０は、入射光の入射面に対する裏面にサブミラー５４２を有する。サブミラー５４２は、メインミラー５４０を透過した入射光の一部を、下方に配置された測距ユニット５３０に導く。これにより、メインミラー５４０が待機位置にある場合は、測距ユニット５３０が被写体までの距離を測定する。なお、メインミラー５４０が撮影位置に移動した場合は、サブミラー５４２も入射光の光路から退避する。
【００１８】
更に、入射光に対してメインミラー５４０の後方には、フォーカルプレーンシャッタ１００、ローパスフィルタ５１０および撮像部５００が順次配置される。フォーカルプレーンシャッタ１００が開放される場合、その直前にメインミラー５４０が撮影位置に移動するので、入射光は直進して撮像部５００に入射される。これにより、入射光の形成する画像が電気信号に変換される。これにより、撮像部５００は、レンズユニット４１０によって結像された画像を撮像する。
【００１９】
図２には、フォーカルプレーンシャッタ１００を、正面図（Ａ）及び底面図（Ｂ）にて示している。この図に示すように、フォーカルプレーンシャッタ１００は、台板１１０と、先幕１２０と、中間板１３０と、後幕１４０と、カバー板１５０とを備えている。なお、平面図（Ａ）では、カバー板１５０の図示を省略している。
【００２０】
台板１１０、先幕１２０、中間板１３０、後幕１４０、カバー板１５０は、メインミラー５４０側からローパスフィルタ５１０側へ記載順に配されている。台板１１０には、矩形状の画枠としてのシャッタ開口１１２がローパスフィルタ５１０と対向して形成され、中間板１３０には、矩形状の画枠としてのシャッタ開口１３２がシャッタ開口１１２と対向して形成されている。また、カバー板１５０には、矩形状の画枠としてのシャッタ開口１５２がシャッタ開口１１２、１３２に対向して形成されている。
【００２１】
先幕１２０は、複数枚、例えば図示するように４枚のシャッタ羽根１２２を備えている。シャッタ羽根１２２は、シャッタ開口１１２の上下辺に沿った方向（以下、左右方向という）を長手方向とする矩形状の板材であって、シャッタ開口１１２、１３２、１５２を開閉する。また、後幕１４０は、複数枚、例えば図示するように４枚のシャッタ羽根１４２を備えている。シャッタ羽根１４２は、左右方向を長手方向とする矩形状の板材であって、シャッタ開口１１２、１３２、１５２を開閉する。
【００２２】
中間板１３０は、シャッタ開口１３２が形成された矩形状の板材であって、台板１１０に固定されている。また、中間板１３０は、一組の対角角部を、スペーサ部材を介して台板１１０に締結固定されることにより、台板１１０から離間されている。また、カバー板１５０からも離間されている。
【００２３】
また、フォーカルプレーンシャッタ１００は、先幕１２０を台板１１０に支持する先幕支持アーム１６０と、後幕１４０を台板１１０に支持する後幕支持アーム１７０とを備えている。先幕支持アーム１６０は、駆動アーム１６２と従動アーム１６４とを備えている。駆動アーム１６２、従動アーム１６４は、細長形状の板材であって、シャッタ開口１１２の左右方向一側（例えば、図中左側）に上下に並べて配されている。
【００２４】
台板１１０におけるシャッタ開口１１２の下辺の側方（例えば、図中左側）には、回動軸としてのボス１６６が立設されており、このボス１６６には、駆動アーム１６２の長手方向一端部が回転自在に支持されている。また、台板１１０におけるボス１６６の上側には、回動軸としてのボス１６８が立設されており、このボス１６８には、従動アーム１６４の長手方向一端部が回転自在に支持されている。
【００２５】
また、駆動アーム１６２には、複数の回動軸としてのダボ１６３が、長手方向へ所定間隔で配されている。また、従動アーム１６４には、複数の回動軸としてのダボ１６５が、長手方向へ所定間隔で配されている。このダボ１６３、１６５は、シャッタ羽根１２２の枚数と同数設けられている。
【００２６】
一方、シャッタ羽根１２２の長手方向一端部には、駆動アーム１６２及び従動アーム１６４と結合される結合部１２４が設けられている。結合部１２４の下部には、ダボ１６３と嵌合可能な円孔が形成され、結合部１２４の上部には、ダボ１６５と嵌合可能な円孔が形成されている。また、複数のシャッタ羽根１２２の結合部１２４は、シャッタ羽根１２２の長手方向にオフセットして配されている。
【００２７】
複数のシャッタ羽根１２２の中で最も台板１１０側に配されたシャッタ羽根１２２の結合部１２４は、複数のダボ１６３、１６５の中で最も左右方向外側（例えば、図中左側）に配されたダボ１６３、１６５と回転自在に結合されている。また、台板１１０側から２枚目のシャッタ羽根１２２の結合部１２４は、複数のダボ１６３、１６５の中で左右方向外側（例えば、図中左側）から２番目に配されたダボ１６３、１６５と回転自在に結合されている。
【００２８】
また、複数のシャッタ羽根１２２の中で最もカバー板１５０側に配されたシャッタ羽根１２２の結合部１２４は、左右方向内側（例えば、図中右側）に配されたダボ１６３、１６５と回転自在に結合されている。また、カバー板１５０側から２枚目のシャッタ羽根１２２の結合部１２４は、左右方向内側（例えば、図中右側）から２番目に配されたダボ１６３、１６５と回転自在に結合されている。
【００２９】
後幕支持アーム１７０は、駆動アーム１７２と従動アーム１７４とを備えている。駆動アーム１７２、従動アーム１７４は、細長形状の板材であって、先幕支持アーム１６０に対してシャッタ開口１１２を挟んだ反対側（例えば、図中右側）に上下に並べて配されている。
【００３０】
台板１１０におけるシャッタ開口１１２の上辺の側方（例えば、図中右側）には、回動軸としてのボス１７６が立設されており、このボス１７６には、駆動アーム１７２の長手方向一端部が回転自在に支持されている。また、台板１１０におけるボス１７６の上側には、回動軸としてのボス１７８が立設されており、このボス１７８には、従動アーム１７４の長手方向一端部が回転自在に支持されている。
【００３１】
また、駆動アーム１７２には、複数の回動軸としてのダボ１７３が、長手方向へ所定間隔で配されている。また、従動アーム１７４には、複数の回動軸としてのダボ１７５が、長手方向へ所定間隔で配されている。このダボ１７３、１７５は、シャッタ羽根１２２の枚数と同数設けられている。
【００３２】
一方、シャッタ羽根１４２の長手方向一端部には、駆動アーム１７２及び従動アーム１７４と結合される結合部１４４が形成されている。結合部１４４の下部には、ダボ１７３と嵌合可能な円孔が形成され、結合部１４４の上部には、ダボ１７５と嵌合可能な円孔が形成されている。また、複数のシャッタ羽根１４２の結合部１４４は、シャッタ羽根１４２の長手方向にオフセットして配されている。
【００３３】
複数のシャッタ羽根１４２の中で最もカバー板１５０側に配されたシャッタ羽根１４２における結合部１４４は、複数のダボ１７３、１７５で最も左右方向外側（例えば、図中右側）のダボ１７３、１７５と回転自在に結合されている。また、カバー板１５０側から２枚目のシャッタ羽根１４２の結合部１４４は、複数のダボ１７３、１７５で左右方向外側（例えば、図中右側）から２番目のダボ１７３、１７５と回転自在に結合されている。
【００３４】
また、複数のシャッタ羽根１４２の中で最も台板１１０側に配されたシャッタ羽根１４２の結合部１４４は、最も左右方向内側（例えば、図中左側）に配されたダボ１７３、１７５と回転自在に結合されている。また、台板１１０側から２枚目のシャッタ羽根１４２の結合部１４４は、左右方向内側（例えば、図中左側）から２番目のダボ１７３、１７５と回転自在に結合されている。
【００３５】
また、駆動アーム１６２の基端側には、先幕駆動入力軸としての駆動ピン１６７が台板１１０側へ向けて突設されている。また、台板１１０には、駆動ピン１６７が挿通される長孔１１４が形成されている。長孔１１４は、駆動ピン１６７の回動軌跡に沿った円弧状に形成されている。駆動アーム１６２は、駆動ピン１６７と嵌合する穴を有し、該駆動ピン１６７の回動に応じて回動される。駆動アーム１６２は、駆動ピン１６７がボス１６６より下側に位置する下降位置から、駆動ピン１６７がボス１６６の側方に位置する上昇位置まで回動できる。駆動アーム１６２が上昇位置に位置する場合に、先幕１２０を構成する複数のシャッタ羽根１２２が上下に広がってシャッタ開口１１２、１５２を遮蔽する。
【００３６】
また、駆動アーム１７２の基端側には、後幕駆動入力軸としての駆動ピン１７７が台板１１０側へ向けて突設されている。また、台板１１０には、駆動ピン１７７が挿通される長孔１１６が形成されている。長孔１１６は、駆動ピン１７７の回動軌跡に沿った円弧状に形成されている。駆動アーム１７２は、駆動ピン１７７と嵌合する穴を有し、該駆動ピン１７７の回動に応じて回動される。駆動アーム１７２は、駆動ピン１７７がボス１７６より下側に位置する下降位置から、駆動ピン１７７がボス１７６の側方に位置する上昇位置まで回動できる。駆動アーム１７２が上昇位置に位置する場合に、後幕１４０を構成する複数のシャッタ羽根１４２が、シャッタ開口１１２の上側において光軸方向に重なり合って格納される。
【００３７】
駆動アーム１６２及び従動アーム１６４は、シャッタ羽根１２２の中間板１３０側に重ね合わされており、駆動アーム１６２及び従動アーム１６４の回動端部は、シャッタ羽根１２２に対して中間板１３０側へ凸の段差部となっている。また、駆動アーム１７２及び従動アーム１７４は、シャッタ羽根１４２の中間板１３０側に重ね合わされており、駆動アーム１７２及び従動アーム１７４の回動端部は、シャッタ羽根１４２に対して中間板１３０側へ凸の段差部となっている。
【００３８】
中間板１３０において駆動アーム１６２及び従動アーム１６４と重なる縦枠１３４は、横枠１３６に対してシャッタ羽根１４２側へ凸の段差部となっている。また、中間板１３０において駆動アーム１７２及び従動アーム１７４と重なる縦枠１３８は、横枠１３６に対してシャッタ羽根１２２側へ凸の段差部となっている。
【００３９】
図３には、フォーカルプレーンシャッタ１００における台板１１０よりメインミラー５４０側を正面図（Ａ）にして示すと共に、フォーカルプレーンシャッタ１００における台板１１０より撮像部５００側を正面図（Ｂ）にて示している。なお、正面図（Ａ）では、カバー板１５０、中間板１３０の図示を省略している。また、正面図（Ｂ）では、台板１１０よりメインミラー５４０側の構成の図示を省略している。
【００４０】
この図に示すように、フォーカルプレーンシャッタ１００は、先幕１２０を走行させる先幕駆動機構１８０と、後幕１４０を走行させる後幕駆動機構１９０とを備えている。先幕駆動機構１８０は、先幕駆動レバー１８２と、先幕チャージカム１８４と、先幕係止レバー１８６とを、先幕支持アーム１６０に対して台板１１０を挟んだ反対側に備えている。また、後幕駆動機構１９０は、後幕駆動レバー１９２と、後幕チャージカム１９４と、後幕係止レバー１９６とを、後幕支持アーム１７０に対して台板１１０を挟んだ反対側に備えている。なお、説明は省略するが、後幕駆動機構１９０は、先幕駆動機構１８０と左右対称の構成であり、同様に動作する。
【００４１】
先幕駆動レバー１８２は、ボス１６６と同軸に配された回動軸としてのボス２０２に回動可能に支持されている。この先幕駆動レバー１８２には、駆動ピン１６７が結合されるアーム部２０４が設けられている。アーム部２０４は、ボス２０２の径方向へ延出している。また、先幕駆動レバー１８２には、カムフォロア部２０６が設けられている。カムフォロア部２０６は、ボス２０２の外径方向であってアーム部２０４の反対側へ延出している。
【００４２】
また、先幕チャージカム１８４は、先幕駆動レバー１８２の上側に配されており、ボス２０２の上側に配された回動軸としてのボス２０８に回動可能に支持されている。先幕チャージカム１８４には、ギヤ部２１０とカムフォロア部２１２とが設けられている。ギヤ部２１０は、ボス２０８を回転中心としており、このギヤ部２１０には、図示しないチャージ機構が連結されている。また、カムフォロア部２１２は、ギヤ部２１０から先幕駆動レバー１８２のカムフォロア部２０６の回動範囲まで延出している。
【００４３】
また、先幕係止レバー１８６は、長孔１１４の上側に配されており、長孔１１４の上側に配された回動軸としてのボス２１４に回動可能に支持されている。先幕係止レバー１８６には、台板１１０側に屈曲された係止部２１６が形成されている。一方、先幕駆動レバー１８２のアーム部２０４には、係止部２１６に係止する係止爪２１８が形成されている。
【００４４】
先幕駆動レバー１８２は、図示しない捩じりバネ等の付勢機構により、上記の上昇位置から上記の下降位置へ回動する方向、即ち図中時計周り方向へ付勢されている。また、先幕係止レバー１８６は、図示しない捩じりバネ等の付勢機構により、係止部２１６が先幕駆動レバー１８２側へ回動する方向、即ち図中時計周り方向へ付勢されている。
【００４５】
次に、本実施形態における作用について説明する。フォーカルプレーンシャッタ１００では、露光終了状態から露光前の待機状態に移る場合に、チャージ機構により先幕チャージカム１８４が図中時計周り方向へ回動され、後幕チャージカム１９４が図中反時計周り方向へ回動される。先幕チャージカム１８４が図中時計周り方向へ回動することにより、カムフォロア部２１２がカムフォロア部２０６に当接して、先幕駆動レバー１８２が、付勢力に抗して図中反時計周り方向へ回動する。また、後幕チャージカム１９４が図中反時計周り方向へ回動することにより、後幕駆動レバー１９２が、付勢力に抗して図中時計周り方向へ回動する。
【００４６】
また、先幕駆動レバー１８２が図中反時計周り方向へ回動することにより、係止爪２１８が係止部２１６に当接して、先幕係止レバー１８６が、付勢力に抗して図中反時計周り方向へ回動する。そして、係止爪２１８が係止部２１６の位置を通過すると、先幕係止レバー１８６が、付勢力により図中時計周り方向へ回動する。また、先幕チャージカム１８４の回動が停止した後には、先幕駆動レバー１８２が付勢力により図中時計回り方向へ回動することにより、係止爪２１８が係止部２１６に係止する。また、後幕駆動レバー１９２が図中時計周り方向へ回動して、後幕駆動レバー１９２の係止爪２１８が、後幕係止レバー１９６の係止部２１６に係止する。
【００４７】
即ち、露光前の待機状態では、先幕駆動レバー１８２が先幕係止レバー１８６に係止され、後幕駆動レバー１９２が後幕係止レバー１９６に係止される。この状態で、先幕１２０の複数のシャッタ羽根１２２は、上下に展開してシャッタ開口１１２を遮蔽する。一方、後幕１４０の複数のシャッタ羽根１４２は、シャッタ開口１１２の上側に退避して折り畳まれる。
【００４８】
なお、露光終了状態から露光前の待機状態に移る場合には、先幕１２０が、後幕１４０に先行して上昇を開始する。これにより、先幕１２０の最上位のシャッタ羽根１２２と後幕１４０の最下位のシャッタ羽根１４２とが光軸方向に重なり合うので、先幕１２０と後幕１４０とによりシャッタ開口１１２が確実に遮蔽される。
【００４９】
図４には、フォーカルプレーンシャッタ１００における台板１１０より被写体側を正面図（Ａ）にして示すと共に、フォーカルプレーンシャッタ１００における台板１１０より撮像部５００側を正面図（Ｂ）にて示している。なお、正面図（Ａ）では、カバー板１５０、中間板１３０の図示を省略している。また、正面図（Ｂ）では、台板１１０より被写体側の構成の図示を省略している。
【００５０】
この図に示すように、フォーカルプレーンシャッタ１００では、露光前の待機状態から露光状態に移る場合に、チャージ機構により先幕チャージカム１８４が図中反時計周り方向へ回動され、後幕チャージカム１９４が図中時計周りへ回動される。先幕チャージカム１８４が図中反時計周り方向へ回動することにより、カムフォロア部２１２がカムフォロア部２０６から離間して、先幕駆動レバー１８２が、付勢力により図中時計周り方向へ回動する。また、後幕チャージカム１９４が図中時計周り方向へ回動することにより、後幕駆動レバー１９２が、付勢力により図中反時計周り方向へ回動する。
【００５１】
また、先幕駆動レバー１８２が図中時計周り方向へ回動することにより、係止部２１６が係止爪２１８から付勢され、先幕係止レバー１８６が、付勢力に抗して図中反時計周り方向へ回動する。そして、係止爪２１８と係止部２１６との係止が解除されると、先幕駆動レバー１８２が、付勢力により図中時計周り方向へ回動する。また、後幕駆動レバー１９２が図中反時計周り方向へ回動して、後幕係止レバー１９６を付勢力に抗して図中時計回り方向へ回動させ、係止爪２１８と係止部２１６との係止を解除させる。そして、後幕駆動レバー１９２は、付勢力により図中反時計周り方向へ回動する。
【００５２】
先幕駆動レバー１８２が付勢力により図中時計回り方向へ回動することにより、先幕１２０の複数のシャッタ羽根１２２は、駆動アーム１６２及び従動アーム１６４により水平に保持された状態でシャッタ開口１１２の下側まで走行され、シャッタ開口１１２の下側に退避して折り畳まれる。一方、後幕駆動レバー１９２が付勢力により図中反時計周り方向へ回動することにより、後幕１４０の複数のシャッタ羽根１４２は、駆動アーム１７２及び従動アーム１７４により水平に保持された状態で下方に展開される。このとき、先幕１２０と後幕１４０とは、先幕１２０の最上位のシャッタ羽根１２２と後幕１４０の最下位のシャッタ羽根１４２との間に、光を通過させるスリットを形成しながら下方へ走行する。そして、露光終了状態では、先幕１２０の複数のシャッタ羽根１２２は、シャッタ開口１１２の下側に退避して折り畳まれ、後幕１４０の複数のシャッタ羽根１４２は、下方に展開してシャッタ開口１１２を遮蔽する。
【００５３】
図５には、比較例に係るフォーカルプレーンシャッタ２００を正面図（Ａ）、及び底面図（Ｂ）にて示している。この図に示すように、比較例に係るフォーカルプレーンシャッタ２００は、先幕１２０を台板１１０に支持する先幕支持アーム１６０と、後幕１４０を台板１１０に支持する後幕支持アーム１７０とが、共に、シャッタ開口１１２の側方一側に配されている。
【００５４】
ところで、フォーカルプレーンシャッタ２００では、露光終了状態から露光前の待機状態に移る場合に、先幕１２０が後幕１４０に先行して上昇することによって、シャッタ開口１１２が先幕１２０と後幕１４０とにより確実に遮蔽される。ここで、先幕１２０が後幕１４０に先行して上昇することから、先幕１２０を支持する先幕支持アーム１６０が、後幕１４０を支持する後幕支持アーム１７０に対して接近して光軸方向に重なり合う。このため、先幕支持アーム１６０と後幕支持アーム１７０とを光軸方向にオフセットして配さなければならず、また、先幕支持アーム１６０と後幕支持アーム１７０との間にこれらを仕切る中間板１３０を配さなければならない。これにより、台板１１０とカバー板１５０との間隔を広げざるをえず、フォーカルプレーンシャッタ２００の厚みが拡大する。
【００５５】
一方、本実施形態では、後幕支持アーム１７０を先幕支持アーム１６０に対してシャッタ開口１１２を挟んだ反対側に配すことにより、先幕支持アーム１６０と後幕支持アーム１７０との重なり合いをなくしている。これにより、先幕支持アーム１６０と後幕支持アーム１７０とを光軸方向と直交する方向に並べて配することができる。従って、台板１１０とカバー板１５０との間における、先幕支持アーム１６０と後幕支持アーム１７０との光軸方向の占有スペースを上記比較例と比較して減少できる。よって、台板１１０とカバー板１５０との間隔を上記比較例と比較して狭くでき、フォーカルプレーンシャッタ１００の厚みを上記比較例と比較して減少できる。
【００５６】
これにより、ローパスフィルタ５１０とメインミラー５４０との間のスペースにおける、フォーカルプレーンシャッタ１００の光軸方向の占有スペースを比較例と比して減少できる。従って、ローパスフィルタ５１０とメインミラー５４０との間のスペースに余裕が生じるので、当該スペースに、ローパスフィルタに付着したごみを除去するごみ取り機構を配する等、設計の自由度が広がる。また、ローパスフィルタ５１０とメインミラー５４０との間隔を狭めることも可能となる。
【００５７】
また、上記比較例のように、先幕支持アーム１６０と後幕支持アーム１７０とをシャッタ開口１１２の側方一側に配した場合には、先幕駆動機構１８０と後幕駆動機構１９０とを高密に配置しなければならず、これらの動作干渉を考慮した設計が要求される。これに対して、本実施形態では、後幕支持アーム１７０を先幕支持アーム１６０に対してシャッタ開口１１２を挟んだ反対側に配したことから、後幕駆動機構１９０を先幕駆動機構１８０に対してシャッタ開口１１２を挟んだ反対側に配すればよいことになる。
【００５８】
従って、先幕駆動機構１８０と後幕駆動機構１９０との動作干渉を考慮しなくてもよいことから、これらの設計自由度が広がる。例えば、本実施形態のように、先幕支持アーム１６０と後幕支持アーム１７０との双方について、駆動アーム１６２、１７２を従動アーム１６４、１７４よりも、先幕１２０、後幕１４０の露光中における走行方向の下流側に配することも可能となる。この場合には、先幕１２０、後幕１４０が共に、駆動アーム１６２、１７２からの引張力を受けて走行するので、先幕１２０と後幕１４０との走行中の特性差が抑制される。なお、先幕１２０、後幕１４０を共に押して走行させることも可能となる。
【００５９】
また、本実施形態では、先幕支持アーム１６０を、先幕１２０における中間板１３０側に重ね合わせ、後幕支持アーム１７０を、後幕１４０における中間板１３０側に重ね合わせている。また、先幕支持アーム１６０と後幕支持アーム１７０とは互いに光軸方向に重ならないようにオフセットされている。このため、先幕支持アーム１６０と後幕支持アーム１７０とを光軸方向と直交する方向に重ねて配することができ、先幕１２０及び先幕支持アーム１６０と、後幕１４０及び後幕支持アーム１７０とを凹凸関係にて組み合わせることができる。従って、先幕支持アーム１６０及び後幕支持アーム１７０とこれらを挟んだ先幕１２０及び後幕１４０との光軸方向の全厚みを減少できる。
【００６０】
また、先幕支持アーム１６０と後幕支持アーム１７０とが光軸方向に重なり合わないことから、中間板１３０は、シャッタ羽根１２２とシャッタ羽根１４２、シャッタ羽根１２２と後幕支持アーム１７０、シャッタ羽根１４２と先幕支持アーム１６０を、相互に仕切りさえすればよいことになる。このため、本実施形態では、中間板１３０を、駆動ピン１６７よりシャッタ開口１１２側、且つ駆動ピン１７７よりシャッタ開口１１２側に収まるように配しており、中間板１３０における先幕支持アーム１６０と後幕支持アーム１７０とに重なる面積を減少させている。これにより、回動する先幕支持アーム１６０及び後幕支持アーム１７０と中間板１３０との摩擦抵抗を減少でき、先幕支持アーム１６０及び後幕支持アーム１７０の駆動負荷を減少できる。
【００６１】
また、本実施形態では、中間板１３０の先幕支持アーム１６０と光軸方向に重なる縦枠１３４を、横枠１３６に対して後幕１４０側へ凸の段差部とすることにより、中間板１３０と先幕支持アーム１６０の先端部とを非接触としている。また、中間板１３０の後幕支持アーム１７０と光軸方向に重なる縦枠１３８を、横枠１３６に対して先幕１２０側へ凸の段差部とすることにより、中間板１３０と後幕支持アーム１７０の先端部とを非接触としている。これにより、回動する先幕支持アーム１６０及び後幕支持アーム１７０と中間板１３０との摩擦抵抗をより一層減少でき、先幕支持アーム１６０及び後幕支持アーム１７０の駆動負荷をより一層減少できる。
【００６２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。例えば、上記実施の形態では、中間板１３０の縦枠１３４、１３８を、光軸方向に屈折させることにより、中間板１３０と先幕支持アーム１６０、後幕支持アーム１７０との摩擦抵抗を低減させた。しかし、図６に示すように、中間板１３０を先幕１２０及び後幕１４０に対して傾斜して配置することによっても、中間板１３０と先幕支持アーム１６０、後幕支持アーム１７０との摩擦抵抗を低減させることができる。
【図面の簡単な説明】
【００６３】
【図１】本発明の一実施形態に係るフォーカルプレーンシャッタ１００を備えるデジタルカメラ１０１の概略構成を側断面図にて示す。
【図２】本発明の一実施形態に係るフォーカルプレーンシャッタ１００を正面図（Ａ）及び底面図（Ｂ）にて示す。
【図３】フォーカルプレーンシャッタ１００における台板１１０より被写体側を正面図（Ａ）にして示すと共に、フォーカルプレーンシャッタ１００における台板１１０より撮像部５００側を正面図（Ｂ）にて示す。
【図４】（フォーカルプレーンシャッタ１００における台板１１０より被写体側を正面図（Ａ）にして示すと共に、フォーカルプレーンシャッタ１００における台板１１０より撮像部５００側を正面図（Ｂ）にて示す。
【図５】比較例に係るフォーカルプレーンシャッタ２００を正面図（Ａ）及び底面図（Ｂ）にて示す。
【図６】他の実施形態に係るフォーカルプレーンシャッタ１００を底面図にて示す。
【符号の説明】
【００６４】
１００  フォーカルプレーンシャッタ、１０１  デジタルカメラ、１１０  台板、１１２  シャッタ開口、１１４  長孔、１１６  長孔、１２０  先幕、１２２  シャッタ羽根、１２４  結合部、１３０  中間板、１３２  シャッタ開口、１３４  縦枠、１３６  横枠、１３８  縦枠、１４０  後幕、１４２  シャッタ羽根、１４４  結合部、１５０  カバー板、１５２  シャッタ開口、１６０  先幕支持アーム、１６２  駆動アーム、１６３  ダボ、１６４  従動アーム、１６５  ダボ、１６６  ボス、１６７  駆動ピン、１６８  ボス、１７０  後幕支持アーム、１７２  駆動アーム、１７３  ダボ、１７４  従動アーム、１７５  ダボ、１７６  ボス、１７７  駆動ピン、１７８  ボス、１８０  先幕駆動機構、１８２  先幕駆動レバー、１８４  先幕チャージカム、１８６  先幕係止レバー、１９０  後幕駆動機構、１９２  後幕駆動レバー、１９４  後幕チャージカム、１９６  後幕係止レバー、２００  フォーカルプレーンシャッタ、２０２  ボス、２０４  アーム部、２０６  カムフォロア部、２０８  ボス、２１０  ギヤ部、２１２  カムフォロア部、２１４  ボス、２１６  係止部、２１８  係止爪、４１０  レンズユニット、４２０  光学部材、４２２  フロントレンズ、４２４  コンペンセータレンズ、４２６  フォーカシングレンズ、４２８  メインレンズ、４３０  鏡筒、４４０  アイリスユニット、４５０  マウント、４６０  ボディ、４７０  ペンタプリズム、４８０  測光ユニット、４９０  接眼系、４９２  ハーフミラー、４９４  ファインダ液晶、５００  撮像部、５１０  ローパスフィルタ、５３０  測距ユニット、５４０  メインミラー、５４２  サブミラー、５５０  制御部
【図１】
2010044173.tif 000003
【図２】
2010044173.tif 000004
【図３】
2010044173.tif 000005
【図４】
2010044173.tif 000006
【図５】
2010044173.tif 000007
【図６】
2010044173.tif 000008